(57)【特許請求の範囲】
【請求項１】
対象物（１００）に接着される粘着テープであって，
前記対象物（１００）側の面である裏面に粘着層を有する基底片（１）と，
前記基底片（１）と連続する中間片（２）と，
前記中間片（２）と連続し，前記対象物（１００）側の面である裏面に粘着層を有する最上片（３）を有し，
前記基底片（１），前記中間片（２）及び前記最上片（３）は，Ｚ状に折り畳まれ，
前記基底片（１）と連続し，前記対象物（１００）と前記基底片（１）の間に配設された補強片（４）をさらに有し，
前記補強片（４）の長手方向の長さは，前記基底片（１）の裏面が，前記中間片（２）との連結点近傍において，前記対象物（１００）と直接接着するように，前記基底片（１）の長手方向の長さより短く，
前記補強片（４）は，前記対象物（１００）と接着する面である裏面に粘着層と，前記基底片（１）と接する面である表面に離型層を有し，
前記補強片（４）は，前記基底片（１）と前記中間片（２）の連結点側の一端とは反対側の他端が，前記基底片（１）に対して剥離しないように連結されており，
前記中間片（２）及び前記最上片（３）が，引き伸ばされた状態で，前記対象物（１００）をくるむことにより，前記対象物（１００）を丸めた状態に保持する
粘着テープ。
【請求項２】
前記補強片（４）は，前記基底片（１）と別体として構成されており，
前記補強片（４）は，前記基底片（１）と前記中間片（２）の連結点側の一端とは反対側の他端が，前前記補強片（４）の表面方向に折り返され，前記補強片（４）の裏面が前記基底片（１）の裏面に接着される
請求項１に記載の粘着テープ。
【請求項３】
前記基底片（１）の裏面は，
前記中間片（２）との連結点近傍において，前記対象物（１００）と接着する第１の接着面（１１），
前記補強片（４）の表面と接着する第２の接着面（１２），
前記補強片（５）の裏面と接着する第３の接着面（１３），及び，
前記基底片（１）の前記先端側近傍において，前記対象物（１００）と接着する第４の接着面（１４）含む
請求項２に記載の粘着テープ。
【請求項４】
前記補強片（４）は，前記基底片（１）と前記中間片（２）の連結点側の一端とは反対側の他端において，前記基底片（１）と一体的に連続するものであり，
前記基底片（１），前記中間片（２），前記最上片（３），及び前記補強片（４）は，４重に折り畳まれる
請求項１に記載の粘着テープ。
【請求項５】
さらに，
前記中間片（２）の前記基底片（１）側の面である裏面には，粘着層が設けられ，
前記基底片（１）の前記中間片（２）側の面である表面，及び前記中間片（２）の前記最上片（３）側の面である表面には，離型層が設けられている
請求項１から請求項４のいずれかに記載の粘着テープ。
【請求項６】
さらに，
前記基底片（１）の前記中間片（２）と連続した一端とは他端の表面と接着される基底片接着面（５１）と，前記対象物（１００）と接着される対象物接着面（５２）を含む止着片（５）を有する
請求項１から請求項５のいずれかに記載の粘着テープ。
【請求項７】
使い捨ておむつ（１００）の廃棄時に使い捨ておむつを丸めた状態で保持するための後処理テープ（２００）が取り付けられた後処理テープ付き使い捨ておむつであって，
前記後処理テープ（２００）は，
前記使い捨ておむつ（１００）側の面である裏面に粘着層を有する基底片（１）と，
前記基底片（１）と連続する中間片（２）と，
前記中間片（２）と連続し，前記使い捨ておむつ（１００）側の面である裏面に粘着層を有する最上片（３）を有し，
前記基底片（１），前記中間片（２）及び前記最上片（３）は，Ｚ状に折り畳まれ，
前記基底片と（１）と連続し，前記使い捨ておむつ（１００）と前記基底片（１）の間に配設された補強片（４）をさらに有し，
前記補強片（４）の長手方向の長さは，前記基底片（１）の裏面が，前記中間片（２）との連結点近傍において，前記使い捨ておむつ（１００）と直接接着するように，前記基底片（１）より短く，
前記補強片（４）は，前記対象物（１００）と接着する面である裏面に粘着層と，前記基底片（１）と接する面である表面に離型層を有し，
前記補強片（４）は，前記基底片（１）と前記中間片（２）の連結点側の一端とは反対側の他端が，前記基底片（１）に対して剥離しないように連結されており，
前記最上片（３）及び前記中間片（２）が，引き伸ばされることにより，前記使い捨ておむつ（１００）を丸めた状態に保持する
後処理テープ付き使い捨ておむつ。
【発明の詳細な説明】
【技術分野】
【０００１】
本発明は，対象物に接着される粘着テープに関する。具体的に説明すると，本発明の粘着テープは，使い捨ておむつの廃棄時に，使い捨ておむつを丸めた状態で保持するための後処理テープである。また，本発明は，後処理テープが取り付けられた後処理テープ付き使い捨ておむつに関する。
【背景技術】
【０００２】
従来から，使い捨ておむつに取り付けられる後処理テープが知られている。後処理テープは，コンパクトに丸められた使用後の使い捨ておむつを，丸めた状態に保持するために，おむつを巻き止める機能を有する。
【０００３】
一般的な使い捨ておむつの後処理テープは，おむつに接着する基底片と，基底片に連続する中間片と，中間片に連続する最上片とを有し，各片の連結点において折り返されてＺ状に折り畳まれた状態で，おむつの外面に接着される（特許文献１）。基底片と中間片の間，及び中間片と最上片の間は剥離可能に接着され，基底片とおむつの外面は通常の使用によっては剥離しないように接着されている。しかし，最上片を摘まんで，最上片と中間片を剥離させ，中間片と基底片を剥離させた後に，再び，最上片と中間片を剥離させた方向に力を加えると，基底片が，おむつの外面から剥離してしまうという問題があった。すなわち，後処理テープの基底片は，中間片との連結点側から最も剥離し易くなっており，この連結点側から引っ張られると，容易におむつの外面から剥離してしまう。特に，おむつ外面が不織布などで形成されたカバーシートで被覆されている場合，基底片が剥離されるに伴って，カバーシートの表面層だけが剥がれてしまったり，カバーシート自体が破れてしまったりする問題があった。
【０００４】
上記従来の課題を解決するために，中間片を基底片の連結点における保持力を補強するための構造を有する後処理テープが提案されている（特許文献２）。特許文献２に開示され技術においては，例えば，中間片を延出させて，中間片の一部をおむつの外面に接着させる。このように，中間片の一部がおむつに接着しているため，最上片と中間片が展開されたのち，再び最上片と中間片を剥離させる方向と同一方向に引っ張られた場合であっても，基底片がおむつから容易に剥離する事態を防止できる。
【先行技術文献】
【特許文献】
【０００５】
【特許文献１】国際公開公報ＷＯ／０１／１３８４２／Ａ１号
【特許文献２】特開平７−１５７７２８号公報
【発明の概要】
【発明が解決しようとする課題】
【０００６】
しかしながら，従来の後処理テープには，以下のような問題があった。
【０００７】
第１に，従来の後処理テープは，中間片の中頃において，中間片と基底片が連結しているため，中間片と最上片によってなる展開自由片が，通常のＺ状に折り畳まれる後処理テープより短くなってしまうという問題があった。展開自由片が短いと，おむつを丸めた後に，おむつの腰周り端を越えて，おむつ本体側の外面に展開自由片を接着させにくくなる。従って，従来の後処理テープは，使用後のおむつをコンパクトに丸めた状態で維持するという後処理テープ本来の機能を損なうものであった。
【０００８】
このような事態を解消するために，後処理テープを配設する位置をおむつの腹周り端に近づけることが考えられるが，一般的に，おむつの腹周り端は薄い素材で形成されているため，ビニールのような硬い素材で形成された後処理テープが配設されていると，着用者に違和感を与えるという問題がある。また，後処理テープ全体の長さ（特に中間片の長さ）を長くする方法も考えられるが，その全長を長くするにつれて，後処理テープを折り畳んだ状態の全長も長くなってしまうため，着用時において後処理テープが被服に引っ掛かり易くなったり，着用者に違和感を与えたり，おむつの見た目が悪くなってしまうという問題がある。
【０００９】
第２に，人は手で物を引っ張っている最中に，その引っ張りに対する応力が突然高まると，反射的に引っ張る力を増してしまうことがよくあるため，従来の後処理テープのように中間片を基底片の連結点を強化する構造を採用したとしても，基底片がおむつの外面から剥離する事態を完全に抑止できないという問題があった。つまり，人間が反射的に加える力より強固に中間片と基底片の連結点を強化することは，技術的に困難であった。特に，使い捨ておむつが，液不透過性材料で形成されたバックシート上を不織布などの柔軟な素材で形成されたカバーシートで被服する構造となっており，そのカバーシート上に後処理テープが接着されている場合において，従来の後処理テープのように中間片を基底片の連結点を強化する構造を採用すると，人間が反射的に加えた力によって，基底片とおむつが剥離する前に，おむつのカバーシートが破れてしまうという問題があった。
【課題を解決するための手段】
【００１０】
本発明者は，上記従来技術の問題を解消するために鋭意検討した結果，Ｚ状折り畳まれた後処理テープとおむつ外面との間に，後処理テープの基底片とおむつ外面の剥離を防止するための補強片を配設することにより，後処理テープの展開自由片の長さを短くすることなく，基底片がおむつから剥離する事態を防止できるという知見を得た。
【００１１】
また，本発明者は，中間片を基底片の連結点を強化するのではなく，あえて，中間片を基底片の連結点を剥離し易いままとしておき，基底片の一部がおむつから剥離した際に，テープの使用者に対して，テープの一部がおむつから剥がれる感覚を与え，テープの異常を認識させることにより，使用者は反射的にテープを引っ張る力を弱めるという知見を得た。さらに，本発明者は，補強片によってテープの使用者の引っ張る力を受け止めれば，後処理テープが外れてしまうことを防止できるという知見を得た。
【００１２】
そして，上記知見に基づけば，従来の課題が解決できることに想到し，本発明を完成させた。上記知見に基づく技術的思想は，使い捨ておむつに接着された後処理テープだけでなく，接着された対象物を丸めた状態に保持するための粘着テープに広く適用することができる。具体的に，本発明は，以下の構成を有する。
【００１３】
本発明の第１の側面は，対象物を丸めた状態に保持するための粘着テープである。
本発明に係る粘着テープは，基本的に，基底片１と，中間片２と，最上片３と，補強片４を有する。これらの，基底片１，中間片２，最上片３，及び補強片４は，一体的に形成されることにより連続するものであってもよいし，それぞれ別体として構成され各片が接着されることにより連続するものであってもよい。
基底片１は，対象物１００に接着され，対象物１００側の面である裏面に粘着層を有する部分である。
中間片２は，基底片１と連続する部分である。
最上片３は，中間片２と連続し，対象物１００側の面である裏面に粘着層を有する部分である。
そして，基底片１，中間片２，及び最上片３は，それぞれの連結点において折り返され，Ｚ状に折り畳まれる。
また，補強片４は，基底片１と連続し，対象物１００と基底片の間に配設される部分である。
補強片４の長手方向の長さは，基底片１の裏面が，中間片２との連結点近傍において，対象物１００と直接接着するように，基底片１の長手方向の長さより短く形成されている。
また，補強片４は，対象物１００と接着する面である裏面に粘着層を有し，かつ，基底片１と接する面である表面に離型層を有する。
そして，本発明に係る粘着テープは，中間片２及び最上片３が，引き伸ばされた状態で，対象物１００をくるみ，最上片３の裏面の粘着剤によって対象物１００に接着することにより，対象物１００を丸めた状態に保持できる。
【００１４】
このような構成を有することにより，本発明は，中間片と最上片からなる展開自由片の長さを短くすることなく，効果的に，基底片が対象物から剥離する事態を防止できる。
具体的には，補強片が基底片と対象物の間に配設されていることにより，中間片を延出させ中間片の一部を対象物に接着させる必要がないため，展開自由片の長手方向の長さを維持できる。
また，補強片は，基底片と対象物の間に配設され，基底片と中間片の連結点を補強するものではないため，テープの使用者に対して，テープの一部が対象物から剥がれる感覚を与え，テープを通常の使用とは異なる方向に引っ張ってしまったことを認識させることができる。従って，使用者により加えられた力によって，基底片が対象物から完全に剥離する事態や，対象物が破損する事態を防止できる。
【００１５】
本発明の第１の側面においては，補強片４は，基底片１と別体として構成してもよい。
この場合に，補強片４は，基底片１の中間片２と連続する一端とは他端側の先端が補強片４の表面方向に折り返され，補強片４の裏面が基底片１の裏面に接着されることが好ましい。
【００１６】
このように，補強片の一部が折り返され，補強片の裏面と基底片の裏面が接着していることにより，展開自由片がいずれの方向から引っ張られた場合であっても，引張方向とは反対方側にある片（補強片又は基底片）により，粘着テープの保持力が強い状態に維持されるため，粘着テープが対象物から容易に剥離する事態を防止できる。
【００１７】
本発明の第１の側面においては，補強片４が基底片１と別体として構成され，基底片１の裏面が，中間片２との連結点近傍において対象物１００と接着する第１の接着面１１，補強片４の表面と接着する第２の接着面１２，補強片５の裏面と接着する第３の接着面１３，及び基底片１の先端側近傍において対象物１００と接着する第４の接着面１４含むことが好ましい。特に，第１の接着面１１と対象物１００の間の接着力１１´は，第２の接着面１２と補強片４の表面の間の接着力１２´より，大きいことが好ましい（１１´＞１２´）。接着力１１´と接着力１２´の差は，より大きいことが好ましい。
【００１８】
このように，基底片の裏面が，基底片と中間片の連結点近傍において対象物と直接に接着する第１の接着面を有することにより，テープの使用者が，展開自由片に最上片と中間片を剥離するための方向と同一方向の力を加えた場合に，基底片の一部（第１の接着面）と対象物が剥離する感覚を与えることができる。従って，使用者に対して，テープの異常を認識させ，展開自由片を引っ張ることを止めさせることができる。
また，仮に使用者がテープの異常を認識できなかったとしても，基底片の裏面が，離型層を有する補強片４の表面と接着する第２の接着面を有することにより，基底片の一部（第２の接着面）が剥離しやすくなるため，使用者は，基底片と対象物との剥離が加速した（「拍子抜け」した）ように感じる。従って，使用者が，展開自由片を引っ張る力を反射的に弱めさせることができる。
そして，基底片の裏面が，補強片の裏面と接着する第３の接着面，及び基底片の先端側近傍において対象物と接着する第４の接着面を有することにより，展開自由片がいずれの方向から引っ張られた場合であっても，引張方向とは反対方側にある片（補強片又は基底片）により，粘着テープの保持力を強い状態に維持できる。従って，使用者は，補強片の表面から基底片の第２の接着面が剥離された際に生じた「拍子抜け」により展開自由片を引っ張る力を弱めているため，補強片の裏面と基底片の第４の接着面が対象物と接着する保持力により，粘着テープが対象物から完全に剥離する事態を，効果的に防止できる。
【００１９】
本発明の第１の側面においては，補強片４は，基底片１が中間片２と連続した一端とは他端において，基底片１と一体的に連続するものであってもよい。この場合に，基底片１，中間片２，最上片３，及び補強片４は，４重に折り畳まれる。
【００２０】
このように，補強片と基底片とを一体的に連続させることにより，本発明に係る粘着テープの構造を簡略化できるうえに，中間片と最上片からなる展開自由片の長さを短くすることなく，効果的に，基底片が対象物から剥離する事態を防止できる。
【００２１】
本発明の第１の側面において，補強片４と基底片１が一体的に連続されて形成された場合には，基底片４の表面は，止着片５によって止着されることが好ましい。止着片５は，基底片１の中間片２と連続した一端とは他端の表面と接着される基底片接着面５１と，対象物１００と接着される対象物接着面５２を含む。
【００２２】
本発明に係る粘着テープは，止着片を有することにより，展開自由片がいずれの方向から引っ張られた場合であっても，引張方向とは反対方側にある片（補強片又は止着片）により，粘着テープの保持力を強い状態に維持できる。
【００２３】
本発明の第１の側面において，中間片２の基底片１側の面である裏面には，粘着層が設けられていることが好ましい。また，基底片１の中間片２側の面である表面，中間片２の最上片３側の面である表面には，離型層が設けられていることが好ましい
【００２４】
中間片の裏面に設けられた粘着層は，粘着テープが折り畳まれた状態において，中間片と基底片が接着した状態を維持する機能を有する。また，基底片の表面に設けられた離型層は，粘着テープを展開する際に，基底片が中間片から適度に剥がれやすくする機能を有する。中間片の表面に設けられた離型層は，粘着テープを展開する際に，最上片が中間片から適度に剥がれやすくする機能を有する。
【００２５】
本発明の第２の側面は，使い捨ておむつの廃棄時に使い捨ておむつを丸めた状態で保持するための後処理テープ２００が取り付けられた後処理テープ付き使い捨ておむつ１００である。
そして，後処理テープ２００は，
使い捨ておむつ１００側の面である裏面に粘着層を有する基底片１と，
基底片１と連続する中間片２と，
中間片２と連続し，使い捨ておむつ１００側の面である裏面に粘着層を有する最上片３を有し，
基底片１，中間片２，及び最上片３は，Ｚ状に折り畳まれ，
基底片と１と連続し，使い捨ておむつ１００と基底片１の間に配設された補強片４をさらに有し，
補強片４の長手方向の長さは，基底片１の裏面が，中間片２との連結点近傍において，使い捨ておむつ１００と直接接着するように，基底片１より短く，
補強片４は，対象物１００と接着する面である裏面に粘着層と，基底片１と接する面である表面に離型層を有し，
最上片３及び中間片２が，引き伸ばされることにより，使い捨ておむつ１００を丸めた状態に保持する。
【００２６】
このように，本発明は，具体的には，使い捨ておむつの廃棄時に使い捨ておむつを丸めた状態で保持するための後処理テープ２００，及び後処理テープ２００が取り付けられた使い捨ておむつ１００に適用することが好ましい。
【図面の簡単な説明】
【００２７】
【図１】図１は，本発明が適用された後処理テープ付き使い捨ておむつの例を示す概略斜視図であり，使い捨ておむつを背面から見た状態を示している。
【図２】図２は，使い捨ておむつが，後処理テープによって丸めた状態に保持された例を示す概略斜視図である。
【図３】図３は，本発明の第１の実施形態を説明するための図であり，折り畳まれた状態の後処理テープの厚み方向の断面形状の例を示す概略断面図である。
【図４】図４は，本発明の第２の実施形態を説明するための図であり，折り畳まれた状態の後処理テープの厚み方向の断面形状の例を示す概略断面図である。
【図５】図５は，本発明の第３の実施形態を説明するための図であり，折り畳まれた状態の後処理テープの厚み方向の断面形状の例を示す概略断面図である。
【図６】図６は，本発明の第４の実施形態を説明するための図であり，折り畳まれた状態の後処理テープの厚み方向の断面形状の例を示す概略断面図である。
【図７】図７は，最上片及び中間片が展開された後処理テープの通常の使用状態の例を示す概略図である。
【図８】図８は，後処理テープの基底片裏面の第１の接着面及び第２の接着面が剥離した状態の例を示す概略図である。
【発明を実施するための形態】
【００２８】
以下，図面を用いて本発明を実施するための形態について説明する。本発明は，以下に説明する形態に限定されるものではなく，以下の形態から当業者が自明な範囲で適宜修正したものも含む。すなわち，本発明に係る粘着テープ，後処理テープ，及び後処理テープ付き使い捨ておむつには，出願時におけるあらゆる構成を適宜採用することが可能である。
【００２９】
以下では，粘着テープ付きの対象物の例として，具体的に，後処理テープ付き使い捨ておむつについて説明する。
【００３０】
なお，本明細書において「裏面」とは，後処理テープが折り畳まれた状態において，使い捨ておむつ側の面（図下方の面）を意味するものとし，「表面」とは，「裏面」と反対側の面（図上方の面）を意味する。
【００３１】
（１．使い捨ておむつの全体構成）
使い捨ておむつには，例えば乳幼児や高齢者用のおむつが含まれる。使い捨ておむつは，吸収体と，吸収体の表面を被覆するトップシートと，吸収体の裏面を被覆するバックシートを基本構造とする。このような基本構造を有する使い捨てのおむつには，例えば，予めパンツ型に形成されたパンツ型のおむつや，着用者の胴回りを覆うサイドフラップに固定テープが設けられたテープ型のおむつが含まれる。
【００３２】
図１は，本発明が適用された後処理テープ付き使い捨ておむつの例を示す概略斜視図であり，使い捨ておむつを背面から見た状態を示している。図１に示されるように，使い捨ておむつ１００の背面には，後処理テープ２００が折り畳まれた状態で取り付けられている。後処理テープ２００は，一般的に，使い捨ておむつ１００の腰周り伸縮材１０１が配設された位置より下方のおむつ本体１０２の外面に，上下方向に向けて取り付けられる。
【００３３】
おむつ本体１０２は，基本的には，吸収体と，吸収体の上面を被覆する液透過性のトップシートと，吸収体の下面を被覆する液不透過性のバックシートから構成され，比較的層が厚くなっている。一方，腰周り伸縮材１０１が配設された位置は，吸収体，トップシート，及びバックシートが形成されておらず，比較的層が薄くなっている。このため，後処理テープ２００は，比較的層の厚いおむつ本体１０２の外面に取り付けられることが好ましい。
【００３４】
図２は，使い捨ておむつがコンパクトに丸められ，後処理テープによって丸めた状態に保持された例を示す概略斜視図である。後処理テープ２００は，まず，折り畳まれた状態から，最上片３が摘ままれ，基底片１，中間片２，及び最上片３が，略一直線上となるように展開される。そして，展開された後処理テープ２００は，使い捨ておむつ１００の腰周り端１０３を越え，最上片３に形成された粘着層３ａが，おむつ本体１０２に接着されることにより，使い捨ておむつ１００を丸めた状態に保持する。
【００３５】
後処理テープ２００は，基本的には，基底片１が常時おむつ本体１０２の外面に接着されており，基底片１，中間片２，及び最上片３が連続的に形成されることにより後処理テープ本体６を構成する。後処理テープ本体６は，最上片３が摘まれて引き伸ばされると，中間片２及び最上片３が展開自由片７となる。
【００３６】
後処理テープ本体６の全長は，例えば，１５０ｍｍ〜２４０ｍｍで形成される。また，後処理テープ２００を形成する基底片１，中間片２，及び最上片３の長手方向の長さは，それぞれ，例えば，３０ｍｍ〜８０ｍｍで形成される。後処理テープ２００の展開自由片７は，使い捨ておむつ１００を丸めた状態に維持することを考慮すると，６０ｍｍ〜１６０ｍｍの長さを有することが好ましい。また，基底片１，中間片２，及び最上片３の長手方向の長さの長さは，後処理テープ２００の全長を等分したものであってもよい。また，後処理テープ２００を形成する基底片１，中間片２，最上片３，及び補強片４の厚みは，それぞれ，例えば２０〜２００μｍ，好ましくは４０〜１５０μｍで形成される。また，後処理テープ２００を形成する素材は，おむつに用いられる場合，ポリエチレンテレフタラート（ＰＥＴ）や，ポリプロピレン（ＰＰ）であることが好ましい。
【００３７】
（２．後処理テープの構成）
以下，図３から図６を参照して，使い捨ておむつ１００の外面に取り付けられた後処理テープ２００の構成について説明する。後処理テープ２００は，前述の通り薄いフィルム状のテープであるが，図３から図６においては，後処理テープの構成を分り易く示すため，概念的に厚みをもたせて作図を行った。
なお，図３から図６においては，作図の便宜上，後処理テープ２００の基底片１は，使い捨ておむつ１００に接着されていないが，後処理テープ２００の基底片は，本来，上面方向から使い捨ておむつに対して圧着されることにより，使い捨ておむつ２００と接着する面を有する。
【００３８】
図３から図６は，折り畳まれた状態の後処理テープの厚み方向の断面形状の例を示す概略断面図である。図３から図６に示されているように，後処理テープ２００は，使い捨ておむつ１００の外面に取り付けられる。使い捨ておむつ１００の外面においては，液不透過性のバックシート１０４を被膜するように不織布などの柔軟な素材で形成されたカバーシート１０５が形成されており，後処理テープ２００はカバーシート１０５上に接着されている。本発明が適用された後処理テープ２００は，バックシート１０４とカバーシート１０５が剥離しやすい状態であっても，カバーシート１０５上に接着することができる。
【００３９】
（２−１．第１の実施形態）
図３は，本発明に係る後処理テープ２００の第１の実施形態を示している。第１の実施形態は，基底片１，中間片２，及び最上片３が一体的に連続して形成され，補強片４が基底片１とは別体として連続して形成された例である。
【００４０】
第１の実施例において，後処理テープ２００は，基底片１の一端と中間片２の一端が一体的に連続し，中間片２の他端と最上片の一端が一体的に連続しており，基底片１の他端と最上片３の他端は開放端となっている。すなわち，基底片１と中間片２と最上片３により後処理テープ本体６が形成され，基底片１の開放端と最上片３の開放端は，それぞれ，後処理テープ本体６の先端に相当する。
【００４１】
後処理テープ本体６は，基底片１と中間片２の連結点において第１の折返部６１を有し，中間片２と最上片３の連結点において第２の折返部６２を有する。そして，後処理テープ本体６は，第１の折返部６１において図３のＤ１方向に向かって折り返され，第２の折返部６２において図３のＤ１方向とは反対の方向であるＤ２方向に向かって折り返されることにより，Ｚ状に折り畳み可能となっている。後処理テープ本体６は，Ｚ状に折り畳まれると，基底片１の表面と中間片２の裏面，及び中間片２の表面と最上片１の裏面が接する状態となる。
【００４２】
基底片１と使い捨ておむつ１００の外面の間には，補強片４が配設される。補強片４は，基底片１の開放端側の先端が，第３の折返部４１において折り返され，折返片４１を形成する。補強片４の基底片１の開放端側の先端が折り返されることにより，補強片４の裏面と基底片１の裏面が接着される。これにより，別体として構成された補強片４と基底片１が連続する。
【００４３】
補強片４は，基底片１の連結点側の裏面，及び基底片１の開放端側の裏面が，使い捨ておむつ１００の外面に直接接着するように，基底片１と使い捨ておむつ１００の間に配設される。つまり，基底片１は，中間片２との連結点側の裏面，及び開放端側の裏面の２点において，使い捨ておむつと直接接着することが好ましい。
【００４４】
図３に示す例では，後処理テープ２００が折り畳まれた状態において，基底片１のおむつ側の面である裏面，中間片２の基底片１側の面である裏面，最上片３の中間片２側の面である裏面，及び補強片４のおむつ側の面である裏面には，それぞれ，粘着層１ａ，２ａ，３ａ，及び４ａが設けられている。一方，後処理テープ２００が折り畳まれた状態において，基底片１の中間片２側である表面，中間片２の最上片３側である表面，最上片３の表面，及び補強片４の基底片１側である表面には，離型層１ｂ，２ｂ，３ｂ，及び４ｂが設けられている。
【００４５】
以下，第１の実施形態の後処理テープ１００を構成する基底片１，中間片２，最上片３，及び補強片４について具体的に説明する。
【００４６】
（２−１−１．基底片）
基底片１は，使い捨ておむつ１００の外面と直接接着され，後処理テープ本体６の基底となる片である。基底片１は，基本的には，中間片２及び最上片３が引き伸ばされて展開した場合でも，使い捨ておむつ１００から剥離することがないように，使い捨ておむつ１００に接着される。ただし，基底片１は，最上片３を中間片２から剥離させる方向と同一方向（Ｄ１方向）への力が加わった場合に，使いすておむつ１００から剥離しやすいという問題がある。
【００４７】
基底片１は，その表面に離型層１ｂが設けられている。基底片１の表面に離型層１ｂが設けられることにより，後処理テープ本体６が展開されるとき，中間片２の裏面に設けられた粘着層２ａが，基底片１の表面から適度に剥がれやすくなる。
【００４８】
一方，基底片１の裏面には，粘着層１ａが設けられている。基底片１の裏面は，基本的には，使い捨ておむつから剥離しないことが好ましいため，粘着層１ａは，基底片１の裏面全体にわたって形成されていることが好ましい。
【００４９】
また，基底片１の裏面は，図３に示されるように，第１の接着面１１，第２の接着面１２，第３の接着面１３，及び第４の接着面を含むことが好ましい。第１の接着面１１は，基底片１と中間片２との連結点近傍において対象物１００と直接接着する面である。第２の接着面１２は，補強片４の表面と接着する面である。第３の接着面は，第３の折返部４１において折り返された補強片５の裏面と接着する面である。第４の接着面４１は，基底片１の開放端近傍において，対象物１００と直接接着する面である。
【００５０】
ここで，第１の接着面１１と使い捨ておむつ１００の間の接着力１１´は，第２の接着面１２と補強片４の表面の間の接着力１２´より，大きいことが好ましい（１１´＞１２´）。この接着力１１´と接着力１２´の差は，より大きいことが好ましい。また，第３の接着面１３と補強片４の裏面の間の接着力１３´及び第４の接着面１４と使い捨ておむつ１００の間の接着力１４´も，第２の接着面１２と補強片４の表面の間の接着力１２´より，大きいことが好ましい（１３´＞１２´，１４´＞１２´）。なお，接着力１１´，接着力１３´，及び接着力１４´は，等しいものであってもよいし，異なるものであってもよい。ただし，接着力１３´及び接着力１４´は，接着力１１´より，大きいこと好ましい（１３´＞１１´，１４´＞１１´）。
【００５１】
接着力の調整は，接着剤の種類や，接着剤を塗布する量を変化させることにより，適宜調節できる。例えば，粘着層の粘着力は，粘着力（タック性）の異なる粘着剤を用いたり，粘着剤の塗布量を変化させたりすることで調節できる。また，離型層についても，解離剤の種類や塗布量を変化させることで調節可能である。さらには，粘着剤と解離剤を自由に組み合わせて，接着力（粘着力）を調節することもできる。なお，本発明に用いられる粘着剤の量は，例えば，１０〜１００ｇ／ｍ２であることが好ましい。
【００５２】
第１の接着面１１，第２の接着面１２，第３の接着面１３，及び第４の接着面の長手方向の長さは，例えば，それぞれ１０ｍｍ〜２０ｍｍで形成される。それぞれの接着面１１，１２，１３，及び１４は，基底片１の長手方向の長さの全長を等分したものであってもよい。これら各接着面１１，１２，１３，及び１４の長さを調節するためには，例えば，基底片１の長さ，基底片１と使い捨ておむつ１００との間に配設される補強片４の位置，補強片４の長さ，補強片４の折返片４２の長さを適宜変更すればよい。
【００５３】
（２−１−２．中間片）
中間片２は，後処理テープ２００が折り畳まれた状態において，基底片１と最上片３の中間に位置する片である。中間片２は，基底片１及び最上片３に連続し，最上片３とともに展開自由片７を形成する。
【００５４】
中間片２の裏面には，粘着層２ａが設けられている。中間片２の裏面に粘着層２ａが設けられていることにより，後処理テープ２００が折り畳まれた状態において，中間片２が基底片１に接着している状態を維持できる。
【００５５】
一方，中間片２の表面には，離型層２ｂが設けられている。中間片２の表面に離型層２ｂが設けられることにより，後処理テープ本体６が展開されるとき，最上片２の裏面に設けられた粘着層３ａが，中間片２の表面から適度に剥がれやすくなる。
（２−１−３．最上片）
【００５６】
最上片３は，折り畳まれた状態における後処理テープ２００の最上部に位置する片である。最上片３は，中間片２と連続し，中間片２とともに展開自由片７を形成する。また，最上片３は，使い捨ておむつ１００の廃棄時に，おむつの腰周り端１０３を越えて，おむつ本体１０２側の外面に接着される片である。
【００５７】
最上片３の裏面には，粘着層３ａが設けられている。最上片３の裏面に粘着層３ａが設けられていることにより，後処理テープ２００が折り畳まれた状態において，最上片３が中間片２に接着している状態を維持できる。また，最上片３の裏面に粘着層３ａが設けられていることにより，使い捨ておむつ１００の廃棄時に，おむつの腰周り端１０３を越えて，おむつ本体１０２側の外面に後処理テープ２００を保持できる。
【００５８】
また，中間片２と連続した最上片３の一端とは他端である開放端の裏面には，摘み部３１が設けられていることが好ましい。摘み部３は，後処理テープ本体６を展開する際に，摘まれる部分である。これにより，最上片３を摘まんで，後処理テープ本体６を展開しやすくなる。摘み部３は，例えば，最上片３の裏面に非粘着性の摘み片を接着させる，最上片３の裏面の一部に粘着層を形成しない，又は最上片の３の裏面の一部に離型処理を施すことにより形成される。
【００５９】
（２−１−４．補強片）
補強片４は，基底片３の第１の折返部近傍の裏面が使い捨ておむつ１００から剥離した場合であっても，後処理テープ２００全体が使い捨ておむつから剥離する事態を防止するための片である。補強片４は，基底片１と連続し，基底片１と使い捨ておむつ１００の接着状態を補強する。
【００６０】
図３に示された第１の実施の形態において，補強片４は，基底片１の裏面の中頃に接着されるように配設されている。また，補強片４は，第３の折返部において，補強片４の表面方向に向かって所定の長さ折り返される。これにより，補強片４の折り返された裏面と，基底片１の裏面とが接着する。
【００６１】
補強片４の裏面には，粘着層４ａが設けられている。粘着層４ａは，補強片４の裏面の全体にわたり形成されていることが好ましい。補強片４の裏面に粘着層４ａが設けられていることにより，補強片４は使い捨ておむつ１００の外面に接着され，かつ補強片４の折返片４２においては，基底片１の裏面と補強片４の裏面の接着が強固になる。
【００６２】
補強片４は，その裏面において，使い捨ておむつ１００と接着する接着面４３を有する。補強片４の接着面４３と使い捨ておむつ１００の間の接着力４３´は，第２の接着面１２と補強片４の表面の間の接着力１２´より，大きいことが好ましい（４３´＞１２´）。また，接着力４３´は，第１の接着面１１と使い捨ておむつ１００の間の接着力１１´より，大きいことが好ましい（４３´＞１１´）。特に，接着力４３´が接着力１１´より大きく，かつ，接着力１１´が接着力１２´より大きいことが好ましい（４３´＞１１´＞１２´）。接着力の調整は，接着剤の種類や，接着剤を塗布する量を変化させることにより，適宜調節可能である。
【００６３】
一方，補強片４の表面には，離型層４ｂが設けられている。補強片４の表面に離型層４ｂが設けられていることにより，基底片の一部（第２の接着面）が剥離しやすくなる。このため，使用者は，基底片１と使い捨ておむつ１００の剥離が加速した（「拍子抜け」した）ように感じる。従って，使用者が，展開自由片を引っ張る力を反射的に弱めさせることが期待できる。
【００６４】
（２−２．第２の実施形態）
次に，図４を参照して，本発明に係る後処理テープ２００の第２の実施形態について説明する。第２の実施形態の説明においては，上述した第１の実施形態と異なる点を中心に説明する。
【００６５】
第２の実施形態は，別体として形成された基底片１，中間片２，最上片３，及び補強片４が接着されることにより，連続して構成された例である。図４に示されるように，第２の実施形態は，基底片１，中間片２，及び最上片３が別体として構成されている点において，第１の実施形態と異なっている。
【００６６】
第２の実施形態において，基底片１は，中間片２と連続する側の端部が折り返され，折り返された裏面が，中間片２の裏面と接着している。また，中間片２も，最上片２と連続する側の端部が折り返され，折り返された裏面が，最上片３の裏面と接着している。
【００６７】
このように，各片を別体として構成することにより，片面に粘着層を形成した片を３片形成したのちに，各片を連続するように接着すればよいため，各辺を一体として構成した場合と比較し，粘着層と離型層を交互に形成する必要がなく，後処理テープ２００を容易に製造できる。また，基底片１，中間片２，及び最上片３の裏面には，それぞれ粘着層１ａ，２ａ，３ａが設けられており，基底片１と中間片１の連結点，及び中間片２と最上片３の連結点において，粘着層同士が接着する構成となっているため，各片の接着状態を強固な状態に維持できる。
【００６８】
（２−３．第３の実施形態）
次に，図５を参照して，本発明に係る後処理テープ２００の第３の実施形態について説明する。図５に示された本発明の第３の実施形態は，上述した第１の実施形態と比較し，最上片３と補強片４が，一体的に連続して形成されている点において異なる。
【００６９】
本発明の第３の実施形態において，補強片４は，基底片１が中間片２と連続した一端とは他端において，基底片１と一体的に連続する。従って，後処理テープ２００が折り畳まれた状態の断面形状は，補強片１，基底片２，中間片３，及び最上片４が４重に折り畳まれた形状となっている。
【００７０】
本発明の第３の実施形態において，基底片１の裏面は，中間片２との連結点側において使い捨ておむつ１００と直接接着する第１の接着面１１と，補強片４との連結点側において補強片４の表面と接着する第２の接着面１２を有する。
【００７１】
このように，基底片１の裏面が，第１の接着面１１及び第２の接着面１２を有することにより，後処理テープ２０が展開され，展開自由片７が最上片３と中間片を剥離する方向（Ｄ１方向）に引っ張られた場合，まず，第１の接着面１１から剥離し始め，その後第２の接着面１２が剥離する。第２の接着面１２の保持力は，第１の接着面１１の保持力より弱いため，使用者は，基底片と対象物との剥離が加速した（「拍子抜け」した）ように感じ，反射的に引っ張る力を弱める。また，基底片１の端部と補強片４は，Ｄ１方向からの力に対する保持力が強く，補強片４が基底片１の端部と連続しているため，後処理テープ２００が使い捨ておむつ１００から完全に剥離する事態を防止できる。
【００７２】
従って，第３の実施形態は，第１の実施形態と同様に，使用者に対して後処理テープの異常を認識させ，基底片１が使い捨ておむつから完全に剥離する事態や，使い捨ておむつ１００の外面が破損する事態を防止できる。
【００７３】
（２−４．実施形態４）
次に，図６を参照して，本発明に係る後処理テープ２００の第４の実施形態について説明する。図６に示された本発明の第４の実施形態は，上述した第３の実施形態をさらに改良した実施の形態である。
【００７４】
図６に示されるように，第４の実施形態においては，第３の実施形態と同様に，補強片４が，基底片１が中間片２と連続した一端とは他端において，基底片１と一体的に連続している。そして，さらに，基底片１と補強片４が連続している連結点側に，基底片１の表面との接着面と，使い捨ておむつ１００の外面との接着面を有する止着片５が配設されている。この止着片５の裏面は，中間片２と連続した基底片１の一端とは他端の表面と接着される基底片接着面５１と，対象物１００の外面と接着される対象物接着面５２を含む。
【００７５】
止着片５は，その裏面に粘着層５ａが設けられている。止着片５は，基底片１と補強片４の連結点である第３の折返部４１を覆うようにして，基底片１の表面及び使い捨ておむつ１００の外面と接着されている。
【００７６】
このように配設された止着片５は，本発明の第１の実施形態における基底片１の裏面が有する第３の接着面及び第４の接着面と同様の作用がある。すなわち，展開自由片７が，図６に示されたＤ１方向又はＤ２方向のいずれの方向から引っ張られた場合であっても，展開自由片７の引張方向とは反対方側にある片（補強片４又は止着片５）により，粘着テープの保持力を強い状態に維持できる。特に，止着片５が配設されていることにより，図６のＤ２方向からの引っ張りに対して強い保持力を発揮できる。
【００７７】
（３．後処理テープの作用）
以下では，図７及び図８を参照して，本発明に係る後処理テープの作用について説明する。なお，以下では，上述した本発明の第１の実施形態を基に本発明の作用を説明する。
【００７８】
図７は，本発明に係る後処理テープ２００の通常の使用状態の例を示す概略図である。まず，後処理テープ２００は，図３に示すようなＺ状に折り畳まれた状態から，最上片３がＤ１方向に引っ張られると，最上片３が中間片２から剥離する。次に，後処理テープ２００は，Ｄ１方向とは反対方向であるＤ２方向に引っ張られると，中間片２が基底片１から剥離する。このように，最上片３及び中間片２がそれぞれ剥離され，展開自由片７が形成された状態が後処理テープ２００の通常の使用状態である。この状態において，最上片３の裏面に形成された粘着層を，使い捨ておむつ１００の腰周り端１０３を越えて，おむつ本体１０２に接着することにより，使い捨ておむつ１００を丸めた状態に保持できる。
【００７９】
また，図７に示されるように，上述した後処理テープ２００の通常の使用状態においては，基底片１裏面の第１の接着面１１は，使い捨ておむつ１００の外面に接着されたまま保持されている。
【００８０】
一方，図７に示された状態から，さらにＤ１方向に向かって，後処理テープ２００の展開自由片７が引っ張られると，まず，基底片１１裏面の第１の接着面１１が，使い捨ておむつ１００の外面から剥離する。基底片１１裏面の第１の接着面１１は，使い捨ておむつ１００の外面との間で強い保持力を有するが，ある一定以上の強い力で引っ張られると剥離してしまう。このとき，後処理テープ２００の使用者に対して，基底片１が使い捨ておむつ１００の外面から剥離される感覚を与えることができる。
【００８１】
また，後処理テープ２００の展開自由片７が，Ｄ１方向に向かってさらに引っ張られると，次に，基底片１１裏面の第２の接着面１２が補強片４の表面から剥離する。補強片４の表面には離型層が形成されているため，基底片１１裏面の第１の接着面１１が使い捨ておむつ１００の外面から剥離したときと比較し，基底片１１裏面の第２の接着面１２は，容易に補強片４の表面から剥離する。このように，使用者の引っ張る力に対する応力が急に弱まるため，使用者は拍子抜けした感覚を感じることになる。従って，使用者に，後処理テープを通常の使用状態とは異なる方向に引っ張りすぎたことを認識させ，反射的に引っ張る力を弱めさせることができる。
【００８２】
そして，図８は，図７の状態から展開自由片７がＤ１方向に向かって引っ張られ，基底片１１裏面の第１の接着面１１及び第２の接着面１２が剥離した状態の例を示している。図８に示す状態のように，第１の接着面１１及び第２の接着面１２が剥離した場合であっても，基底片１１裏面の第３の接着面１３が，補強片４の裏面と接着しているため，Ｄ１方向からかかる力に対して，強い保持力を有する。また，基底片１１裏面の第２の接着面１２が補強片４の表面から剥離した際に，使用者は反射的に引っ張る力を弱めているため，補強片４の裏面が有する保持力によって，十分に後処理テープ２００が使い捨ておむつ１００から剥離する事態を防止できる。
【００８３】
また，基底片１裏面の第４の接着面が使い捨ておむつ１００の外面に接着されているため，後処理テープ２００は，Ｄ２方向からの引っ張りに対しても強い保持力を有する。従って，図８に示す状態から，さらに，Ｄ２方向に展開自由片７が引っ張られた場合であっても，後処理テープ２００が使い捨ておむつ１００から剥離する事態を防止できる。
【００８４】
なお，本発明は，上述した後処理テープ，及び後処理テープ付き使い捨ておむつに限定されるものではなく，上記構成を採用可能な粘着テープ，及び粘着テープ付の対象物に広く適用できる。
【産業上の利用可能性】
【００８５】
本発明は，使い捨ておむつの廃棄時に使い捨ておむつを丸めた状態で保持するための後処理テープ及び，後処理テープが取り付けられた使い捨ておむつに適用することができる。従って，本発明は，育児及び介護に関する産業において好適に利用し得る。
【符号の説明】
【００８６】
１      基底片
１ａ      粘着層
１ｂ      離型層
２      中間片
２ａ      粘着層
２ｂ      離型層
３      最上片
３ａ      粘着層
４      補強片
４ａ      粘着層
４ｂ      離型層
５      止着片
５ａ      粘着層
６      後処理テープ本体
７      展開自由片
１１    第１の接着面
１２    第２の接着面
１３    第３の接着面
１４    第４の接着面
３１    摘み部
４１    第３の折返部
４２    折返片
４３    接着面
５１    基底片接着面
５２    対象物接着面
６１    第１の折返部
６２    第２の折返部
１００  使い捨ておむつ（対象物）
１０１  腰周り伸縮材
１０２  おむつ本体
１０３  腰周り端
１０４  バックシート
１０５  カバーシート
２００  後処理テープ（粘着テープ）
【図１】
0005696486.tif 000002
【図２】
0005696486.tif 000003
【図３】
0005696486.tif 000004
【図４】
0005696486.tif 000005
【図５】
0005696486.tif 000006
【図６】
0005696486.tif 000007
【図７】
0005696486.tif 000008
【図８】
0005696486.tif 000009